(57)【特許請求の範囲】
【請求項１】
端末装置に対してサービスを提供する提供用サーバ装置と、前記端末装置の利用者により所持される携帯通信装置と、前記提供用サーバ装置および前記携帯通信装置と通信可能な情報配信用サーバ装置とからなる個人情報入力システムであって、
前記提供用サーバ装置は、
前記端末装置を識別可能な端末識別情報および前記提供用サーバ装置を識別可能な提供用サーバ識別情報および前記サービスの提供に当たり必要な個人情報の範囲を表す範囲情報を前記端末装置から前記携帯通信装置に読み取り可能とする読取用情報を前記端末装置に送付する読取用情報送付手段を備え、
前記携帯通信装置は、
前記利用者に関する複数の個人情報を含んだ個人情報群を記憶する個人情報記憶手段と、
前記端末装置に送付された前記読取用情報から前記端末識別情報、前記提供用サーバ識別情報および前記範囲情報を読み取る読取手段と、
読み取られた前記範囲情報が示す範囲内の個人情報の送信を許容する旨の指定を入力する手段と、
前記指定が入力されたことに応じて、前記個人情報記憶手段に記憶された個人情報群のうちで前記範囲情報が示す範囲内の個人情報を前記端末識別情報および前記提供用サーバ識別情報とともに前記情報配信用サーバ装置へ送付する個人情報送付手段とを具備し、
前記情報配信用サーバ装置は、
前記携帯通信装置から送付された前記提供用サーバ識別情報に基づいて前記提供用サーバ装置を識別し、この提供用サーバ装置に前記携帯通信装置から送付された前記個人情報および前記端末識別情報を転送する転送手段を備えることを特徴とする個人情報入力システム。
【請求項２】
端末装置の利用者に関する複数の個人情報を含んだ個人情報群を記憶する個人情報記憶手段、
前記端末装置から端末識別情報、提供用サーバ識別情報および範囲情報を読み取る読取手段、
読み取られた前記範囲情報が示す範囲内の個人情報の送信を許容する旨の指定を入力する手段、ならびに
前記指定が入力されたことに応じて、前記個人情報記憶手段に記憶された個人情報群のうちで前記範囲情報が示す範囲内の個人情報を前記端末識別情報および前記提供用サーバ識別情報とともに情報配信用サーバ装置へ送付する個人情報送付手段を具備した携帯通信装置と、
前記携帯通信装置から送付された前記提供用サーバ識別情報に基づいて前記提供用サーバ装置を識別し、この提供用サーバ装置に前記携帯通信装置から送付された前記個人情報および前記端末識別情報を転送する転送手段を備えた前記情報配信用サーバ装置とともに個人情報入力システムを構成し、前記端末装置に対してサービスを提供する提供用サーバ装置において、
前記端末装置を識別可能な前記端末識別情報、前記提供用サーバ装置を識別可能な前記提供用サーバ識別情報および前記サービスの提供に当たり必要な個人情報の範囲を表す前記範囲情報を前記端末装置から前記携帯通信装置に読み取り可能とする読取用情報を前記端末装置に送付する読取用情報送付手段を備えることを特徴とする提供用サーバ装置。
【請求項３】
端末装置を識別可能な端末識別情報および提供用サーバ装置を識別可能な提供用サーバ識別情報およびサービスの提供に当たり必要な個人情報の範囲を表す範囲情報を前記端末装置から携帯通信装置に読み取り可能とする読取用情報を前記端末装置に送付する読取用情報送付手段を備えた前記提供用サーバ装置と、
前記携帯通信装置から送付された前記提供用サーバ識別情報に基づいて前記提供用サーバ装置を識別し、この提供用サーバ装置に前記携帯通信装置から送付された前記個人情報および前記端末識別情報を転送する転送手段を備えた情報配信用サーバ装置とともに個人情報入力システムを構成し、前記利用者により所持される携帯通信装置であって、
前記利用者に関する複数の個人情報を含んだ個人情報群を記憶する個人情報記憶手段と、
前記端末装置に送付された前記読取用情報から前記端末識別情報、提供用サーバ識別情報および前記範囲情報を読み取る読取手段と、
読み取られた前記範囲情報が示す範囲内の個人情報の送信を許容する旨の指定を入力する手段と、
前記指定が入力されたことに応じて、前記個人情報記憶手段に記憶された個人情報群のうちで前記範囲情報が示す範囲内の個人情報を前記端末識別情報とともに前記情報配信用サーバ装置へ送付する個人情報送付手段とを具備したことを特徴とする携帯通信装置。
【請求項４】
端末装置を識別可能な端末識別情報および提供用サーバ装置を識別可能な提供用サーバ識別情報およびサービスの提供に当たり必要な個人情報の範囲を表す範囲情報を前記端末装置から携帯通信装置に読み取り可能とする読取用情報を前記端末装置に送付する読取用情報送付手段を備えた前記提供用サーバ装置と、
前記利用者に関する複数の個人情報を含んだ個人情報群を記憶する個人情報記憶手段、
前記端末装置に送付された前記読取用情報から前記端末識別情報、前記提供用サーバ識別情報および前記範囲情報を読み取る読取手段、
読み取られた前記範囲情報が示す範囲内の個人情報の送信を許容する旨の指定を入力する手段、ならびに
前記指定が入力されたことに応じて、前記個人情報記憶手段に記憶された個人情報群のうちで前記範囲情報が示す範囲内の個人情報を前記端末識別情報および前記提供用サーバ識別情報とともに情報配信用サーバ装置へ送付する個人情報送付手段とを具備した前記携帯通信装置とともに個人情報入力システムを構成する情報配信用サーバ装置であって、
前記携帯通信装置から送付された前記提供用サーバ識別情報に基づいて前記提供用サーバ装置を識別し、この提供用サーバ装置に前記携帯通信装置から送付された前記個人情報および前記端末識別情報を転送する転送手段を備えることを特徴とする情報配信用サーバ装置。
【請求項５】
端末装置の利用者に関する複数の個人情報を含んだ個人情報群を記憶する個人情報記憶手段、
前記端末装置から端末識別情報、提供用サーバ識別情報および範囲情報を読み取る読取手段、
読み取られた前記範囲情報が示す範囲内の個人情報の送信を許容する旨の指定を入力する手段、ならびに
前記指定が入力されたことに応じて、前記個人情報記憶手段に記憶された個人情報群のうちで前記範囲情報が示す範囲内の個人情報を前記端末識別情報および前記提供用サーバ識別情報とともに情報配信用サーバ装置へ送付する個人情報送付手段を具備した携帯通信装置と、
前記携帯通信装置から送付された前記提供用サーバ識別情報に基づいて前記提供用サーバ装置を識別し、この提供用サーバ装置に前記携帯通信装置から送付された前記個人情報および前記端末識別情報を転送する転送手段を備えた前記情報配信用サーバ装置とともに個人情報入力システムを構成し、前記端末装置に対してサービスを提供する提供用サーバ装置としてコンピュータを動作させるためのプログラムであって、
前記コンピュータを、前記端末装置を識別可能な端末識別情報および前記提供用サーバ装置を識別可能な提供用サーバ識別情報および前記サービスの提供に当たり必要な個人情報の範囲を表す範囲情報を前記端末装置から前記携帯通信装置に読み取り可能とする読取用情報を前記端末装置に送付する読取用情報送付手段として機能させることを特徴とするプログラム。
【請求項６】
端末装置を識別可能な端末識別情報および提供用サーバ装置を識別可能な提供用サーバ識別情報およびサービスの提供に当たり必要な個人情報の範囲を表す範囲情報を前記端末装置から携帯通信装置に読み取り可能とする読取用情報を前記端末装置に送付する読取用情報送付手段を備えた前記提供用サーバ装置と、
前記携帯通信装置から送付された前記提供用サーバ識別情報に基づいて前記提供用サーバ装置を識別し、この提供用サーバ装置に前記携帯通信装置から送付された前記個人情報および前記端末識別情報を転送する転送手段を備えた情報配信用サーバ装置とともに個人情報入力システムを構成する前記携帯通信装置の動作を制御するコンピュータを、
前記利用者に関する複数の個人情報を含んだ個人情報群を記憶する個人情報記憶手段と、
前記端末装置に送付された前記読取用情報から前記端末識別情報、前記提供用サーバ識別情報および前記範囲情報を読み取る読取手段と、
読み取られた前記範囲情報が示す範囲内の個人情報の送信を許容する旨の指定を入力する手段と、
前記指定が入力されたことに応じて、前記個人情報記憶手段に記憶された個人情報群のうちで前記範囲情報が示す範囲内の個人情報を前記端末識別情報とともに前記情報配信用サーバ装置へ送付する個人情報送付手段として機能させることを特徴とするプログラム。
【請求項７】
端末装置を識別可能な端末識別情報および提供用サーバ装置を識別可能な提供用サーバ識別情報およびサービスの提供に当たり必要な個人情報の範囲を表す範囲情報を前記端末装置から携帯通信装置に読み取り可能とする読取用情報を前記端末装置に送付する読取用情報送付手段を備えた前記提供用サーバ装置と、
前記利用者に関する複数の個人情報を含んだ個人情報群を記憶する個人情報記憶手段、
前記端末装置に送付された前記読取用情報から前記端末識別情報、前記提供用サーバ識別情報および前記範囲情報を読み取る読取手段、
読み取られた前記範囲情報が示す範囲内の個人情報の送信を許容する旨の指定を入力する手段、ならびに
前記指定が入力されたことに応じて、前記個人情報記憶手段に記憶された個人情報群のうちで前記範囲情報が示す範囲内の個人情報を前記端末識別情報および前記提供用サーバ識別情報とともに情報配信用サーバ装置へ送付する個人情報送付手段とを具備した前記携帯通信装置とともに個人情報入力システムを構成する前記情報配信用サーバ装置としてコンピュータを動作させるプログラムであって、
前記コンピュータを、前記携帯通信装置から送付された前記提供用サーバ識別情報に基づいて前記提供用サーバ装置を識別し、この提供用サーバ装置に前記携帯通信装置から送付された前記個人情報および前記端末識別情報を転送する転送手段として機能させることを特徴とするプログラム。
【請求項８】
端末装置に対してサービスを提供する提供用サーバ装置と、前記端末装置の利用者により所持される携帯通信装置と、前記提供用サーバ装置および前記携帯通信装置と通信可能な情報配信用サーバ装置とからなる個人情報入力システムであって、
前記提供用サーバ装置は、
前記端末装置を識別可能な端末識別情報、前記提供用サーバ装置を識別可能な提供用サーバ識別情報および前記サービスの提供に当たり必要な個人情報の範囲を表す範囲情報を前記端末装置から前記携帯通信装置に読み取り可能とする読取用情報を前記端末装置に送付する読取用情報送付手段を備え、
前記携帯通信装置は、
前記端末装置に送付された前記読取用情報から前記端末識別情報、前記提供用サーバ識別情報および前記範囲情報を読み取る読取手段と、
読み取られた前記範囲情報が示す範囲内の個人情報の送信を許容する旨の指定を入力する手段と、
前記指定が入力されたことに応じて、前記端末識別情報、前記提供用サーバ識別情報および前記範囲情報を含んだ要求情報を前記情報配信用サーバ装置へ送付する手段とを具備し、
前記情報配信用サーバ装置は、
前記利用者に関する複数の個人情報を含んだ個人情報群を前記携帯通信装置に対応付けて記憶する個人情報記憶手段と、
前記要求情報を送付した前記携帯通信装置に対応付けられた個人情報群のうちで前記要求情報に含まれる前記範囲情報が示す範囲内の個人情報を前記個人情報記憶手段から読み出す読出手段と、
前記要求情報に含まれた前記提供用サーバ識別情報に基づいて前記提供用サーバ装置を識別し、この提供用サーバ装置に、前記読出手段により読み出された前記個人情報を前記要求情報に含まれる前記端末識別情報とともに前記情報提供用サーバ装置へ送付する個人情報送付手段とを具備したことを特徴とする個人情報入力システム。
【請求項９】
端末装置に送付された読取用情報から端末識別情報、提供用サーバ識別情報および範囲情報を読み取る読取手段、
読み取られた前記範囲情報が示す範囲内の個人情報の送信を許容する旨の指定を入力する手段、ならびに
前記指定が入力されたことに応じて、前記端末識別情報、前記提供用サーバ識別情報および前記範囲情報を含んだ要求情報を情報配信用サーバ装置へ送付する手段を具備した携帯通信装置と、
前記端末装置の利用者に関する複数の個人情報を含んだ個人情報群を前記携帯通信装置に対応付けて記憶する個人情報記憶手段、
前記要求情報を送付した前記携帯通信装置に対応付けられた個人情報群のうちで前記要求情報に含まれる前記範囲情報が示す範囲内の個人情報を前記個人情報記憶手段から読み出す読出手段、ならびに
前記要求情報に含まれた前記提供用サーバ識別情報に基づいて提供用サーバ装置を識別し、この提供用サーバ装置に、前記読出手段により読み出された前記個人情報を前記要求情報に含まれる前記端末識別情報とともに前記情報提供用サーバ装置へ送付する個人情報送付手段を具備した前記情報配信用サーバ装置とともに個人情報入力システムを構成し、端末装置に対してサービスを提供する提供用サーバ装置であって、
前記端末装置を識別可能な前記端末識別情報、前記提供用サーバ装置を識別可能な前記提供用サーバ識別情報および前記サービスの提供に当たり必要な個人情報の範囲を表す前記範囲情報を前記端末装置から前記携帯通信装置に読み取り可能とする読取用情報を前記端末装置に送付する読取用情報送付手段を備えたことを特徴とする提供用サーバ装置。
【請求項１０】
端末装置を識別可能な端末識別情報、提供用サーバ装置を識別可能な提供用サーバ識別情報およびサービスの提供に当たり必要な個人情報の範囲を表す範囲情報を前記端末装置から携帯通信装置に読み取り可能とする読取用情報を前記端末装置に送付する読取用情報送付手段を備えた前記提供用サーバ装置と、
前記端末装置の利用者に関する複数の個人情報を含んだ個人情報群を前記携帯通信装置に対応付けて記憶する個人情報記憶手段、
要求情報を送付した携帯通信装置に対応付けられた個人情報群のうちで前記要求情報に含まれる前記範囲情報が示す範囲内の個人情報を前記個人情報記憶手段から読み出す読出手段、ならびに
前記要求情報に含まれた前記提供用サーバ識別情報に基づいて前記提供用サーバ装置を識別し、この提供用サーバ装置に、前記読出手段により読み出された前記個人情報を前記要求情報に含まれる前記端末識別情報とともに前記情報提供用サーバ装置へ送付する個人情報送付手段とを具備した情報配信用サーバ装置とともに個人情報入力システムを構成し、前記利用者により所持される携帯通信装置において、
前記端末装置に送付された前記読取用情報から前記端末識別情報、前記提供用サーバ識別情報および前記範囲情報を読み取る読取手段と、
読み取られた前記範囲情報が示す範囲内の個人情報の送信を許容する旨の指定を入力する手段と、
前記指定が入力されたことに応じて、前記端末識別情報、前記提供用サーバ識別情報および前記範囲情報を含んだ要求情報を前記情報配信用サーバ装置へ送付する手段とを具備したことを特徴とする携帯通信装置。
【請求項１１】
端末装置を識別可能な端末識別情報、提供用サーバ装置を識別可能な提供用サーバ識別情報およびサービスの提供に当たり必要な個人情報の範囲を表す範囲情報を前記端末装置から携帯通信装置に読み取り可能とする読取用情報を前記端末装置に送付する読取用情報送付手段を備えた前記提供用サーバ装置と、
前記端末装置に送付された前記読取用情報から前記端末識別情報、前記提供用サーバ識別情報および前記範囲情報を読み取る読取手段、
読み取られた前記範囲情報が示す範囲内の個人情報の送信を許容する旨の指定を入力する手段、
前記指定が入力されたことに応じて、前記端末識別情報、前記提供用サーバ識別情報および前記範囲情報を含んだ要求情報を情報配信用サーバ装置へ送付する手段とを具備した、前記携帯通信装置とともに個人情報入力システムを構成する情報配信用サーバ装置であって、
前記端末装置の利用者に関する複数の個人情報を含んだ個人情報群を前記携帯通信装置に対応付けて記憶する個人情報記憶手段と、
前記要求情報を送付した前記携帯通信装置に対応付けられた個人情報群のうちで前記要求情報に含まれる前記範囲情報が示す範囲内の個人情報を前記個人情報記憶手段から読み出す読出手段と、
前記要求情報に含まれた前記提供用サーバ識別情報に基づいて前記提供用サーバ装置を識別し、この提供用サーバ装置に、前記読出手段により読み出された前記個人情報を前記要求情報に含まれる前記端末識別情報とともに前記情報提供用サーバ装置へ送付する個人情報送付手段とを具備したことを特徴とする情報配信用サーバ装置。
【請求項１２】
端末装置に送付された読取用情報から端末識別情報、提供用サーバ識別情報および範囲情報を読み取る読取手段、
読み取られた前記範囲情報が示す範囲内の個人情報の送信を許容する旨の指定を入力する手段、ならびに
前記指定が入力されたことに応じて、前記端末識別情報、前記提供用サーバ識別情報および前記範囲情報を含んだ要求情報を情報配信用サーバ装置へ送付する手段を具備した携帯通信装置と、
前記端末装置の利用者に関する複数の個人情報を含んだ個人情報群を前記携帯通信装置に対応付けて記憶する個人情報記憶手段、
前記要求情報を送付した前記携帯通信装置に対応付けられた個人情報群のうちで前記要求情報に含まれる前記範囲情報が示す範囲内の個人情報を前記個人情報記憶手段から読み出す読出手段、ならびに
前記要求情報に含まれた前記提供用サーバ識別情報に基づいて提供用サーバ装置を識別し、この提供用サーバ装置に、前記読出手段により読み出された前記個人情報を前記要求情報に含まれる前記端末識別情報とともに前記情報提供用サーバ装置へ送付する個人情報送付手段を具備した前記情報配信用サーバ装置とともに個人情報入力システムを構成し、端末装置に対してサービスを提供する提供用サーバ装置としてコンピュータを動作させるプログラムであって、
前記コンピュータを、前記端末装置を識別可能な前記端末識別情報、前記提供用サーバ装置を識別可能な前記提供用サーバ識別情報および前記サービスの提供に当たり必要な個人情報の範囲を表す前記範囲情報を前記端末装置から前記携帯通信装置に読み取り可能とする読取用情報を前記端末装置に送付する読取用情報送付手段として機能させることを特徴とするプログラム。
【請求項１３】
端末装置を識別可能な端末識別情報、提供用サーバ装置を識別可能な提供用サーバ識別情報およびサービスの提供に当たり必要な個人情報の範囲を表す範囲情報を前記端末装置から携帯通信装置に読み取り可能とする読取用情報を前記端末装置に送付する読取用情報送付手段を備えた前記提供用サーバ装置と、
前記端末装置の利用者に関する複数の個人情報を含んだ個人情報群を前記携帯通信装置に対応付けて記憶する個人情報記憶手段、
要求情報を送付した携帯通信装置に対応付けられた個人情報群のうちで前記要求情報に含まれる前記範囲情報が示す範囲内の個人情報を前記個人情報記憶手段から読み出す読出手段、ならびに
前記要求情報に含まれた前記提供用サーバ識別情報に基づいて前記提供用サーバ装置を識別し、この提供用サーバ装置に、前記読出手段により読み出された前記個人情報を前記要求情報に含まれる前記端末識別情報とともに前記情報提供用サーバ装置へ送付する個人情報送付手段とを具備した情報配信用サーバ装置とともに個人情報入力システムを構成し、前記利用者により所持される携帯通信装置の動作を制御するコンピュータを、
前記端末装置に送付された前記読取用情報から前記端末識別情報、前記提供用サーバ識別情報および前記範囲情報を読み取る読取手段と、
読み取られた前記範囲情報が示す範囲内の個人情報の送信を許容する旨の指定を入力する手段と、
前記指定が入力されたことに応じて、前記端末識別情報、前記提供用サーバ識別情報および前記範囲情報を含んだ要求情報を前記情報配信用サーバ装置へ送付する手段として機能させることを特徴とするプログラム。
【請求項１４】
端末装置を識別可能な端末識別情報、提供用サーバ装置を識別可能な提供用サーバ識別情報およびサービスの提供に当たり必要な個人情報の範囲を表す範囲情報を前記端末装置から携帯通信装置に読み取り可能とする読取用情報を前記端末装置に送付する読取用情報送付手段を備えた前記提供用サーバ装置と、
前記端末装置に送付された前記読取用情報から前記端末識別情報、前記提供用サーバ識別情報および前記範囲情報を読み取る読取手段、
読み取られた前記範囲情報が示す範囲内の個人情報の送信を許容する旨の指定を入力する手段、
前記指定が入力されたことに応じて、前記端末識別情報、前記提供用サーバ識別情報および前記範囲情報を含んだ要求情報を情報配信用サーバ装置へ送付する手段とを具備した前記携帯通信装置とともに個人情報入力システムを構成する情報配信用サーバ装置としてコンピュータを動作させるプログラムであって、
前記コンピュータを、前記端末装置の利用者に関する複数の個人情報を含んだ個人情報群を前記携帯通信装置に対応付けて記憶する個人情報記憶手段と、
前記要求情報を送付した前記携帯通信装置に対応付けられた個人情報群のうちで前記要求情報に含まれる前記範囲情報が示す範囲内の個人情報を前記個人情報記憶手段から読み出す読出手段と、
前記要求情報に含まれた前記提供用サーバ識別情報に基づいて前記提供用サーバ装置を識別し、この提供用サーバ装置に、前記読出手段により読み出された前記個人情報を前記要求情報に含まれる前記端末識別情報とともに前記情報提供用サーバ装置へ送付する個人情報送付手段として機能させることを特徴とするプログラム。
【発明の詳細な説明】
【技術分野】
【０００１】
本発明は、サービスの利用者の個人情報を入力する個人情報入力システムと、この個人情報入力システムで使用される提供用サーバ装置、携帯通信装置および情報配信用サーバ装置と、これらの装置のためのプログラムに関する。
【背景技術】
【０００２】
インターネットを介したサービス利用者の個人情報を必要とする場合にサーバ装置は、入力画面を端末装置に表示させ、この入力画面に応じたユーザ操作によって端末装置に入力された個人情報を取得する。
【０００３】
このような個人情報の取得は、サービス毎に個別に行われることが多い。従って利用者は、新たなサービスを利用する毎に、個人情報の入力を繰り返し行わなければならず、非常に面倒である。
【０００４】
今後利用が広がると想定されるデジタルＴＶ装置では、一般的なキーボードに比べてボタンが限られるリモートコントローラを使用したユーザインタフェースによる文字入力を利用者が行わなければならないため、個人情報の入力に掛かる利用者の手間が特に大きい。
【特許文献１】特開２００５−１４８８４５
【発明の開示】
【発明が解決しようとする課題】
【０００５】
以上のように従来は、利用者は、複数のサービスのそれぞれに関して個別に個人情報を入力しなければならないため、そのための利用者の負担が大きいという不具合があった。
【０００６】
本発明はこのような事情を考慮してなされたものであり、その目的とするところは、個人情報の入力に掛かる利用者の手間を軽減することにある。
【課題を解決するための手段】
【０００７】
以上の目的を達成するために本発明は、端末装置に対してサービスを提供する提供用サーバ装置と、前記端末装置の利用者により所持される携帯通信装置と、前記提供用サーバ装置および前記携帯通信装置と通信可能な情報配信用サーバ装置とからなる個人情報入力システムにおける各装置をそれぞれ次のような構成とした。
【０００８】
前記提供用サーバ装置には、前記端末装置を識別可能な端末識別情報および前記提供用サーバ装置を識別可能な提供用サーバ識別情報および前記サービスの提供に当たり必要な個人情報の範囲を表す範囲情報を前記端末装置から前記携帯通信装置に読み取り可能とする読取用情報を前記端末装置に送付する読取用情報送付手段を備えた。
【０００９】
前記携帯通信装置には、前記利用者に関する複数の個人情報を含んだ個人情報群を記憶する個人情報記憶手段と、前記端末装置に送付された前記読取用情報から前記端末識別情報、前記提供用サーバ識別情報および前記範囲情報を読み取る読取手段と、読み取られた前記範囲情報が示す範囲内の個人情報の送信を許容する旨の指定を入力する手段と、前記指定が入力されたことに応じて、前記個人情報記憶手段に記憶された個人情報群のうちで前記範囲情報が示す範囲内の個人情報を前記端末識別情報および前記提供用サーバ識別情報とともに前記情報配信用サーバ装置へ送付する個人情報送付手段とを備えた。
【００１０】
前記情報配信用サーバ装置には、前記携帯通信装置から送付された前記提供用サーバ識別情報に基づいて前記提供用サーバ装置を識別し、この提供用サーバ装置に前記携帯通信装置から送付された前記個人情報および前記端末識別情報を転送する転送手段を備えた。
【００１１】
また前記の目的を達成するために本発明は、端末装置に対してサービスを提供する提供用サーバ装置と、前記端末装置の利用者により所持される携帯通信装置と、前記提供用サーバ装置および前記携帯通信装置と通信可能な情報配信用サーバ装置とからなる個人情報入力システムにおける各装置用のプログラムをそれぞれ次のような構成とした。
【００１２】
前記端末装置の利用者に関する複数の個人情報を含んだ個人情報群を記憶する個人情報記憶手段、前記端末装置から端末識別情報、提供用サーバ識別情報および範囲情報を読み取る読取手段、読み取られた前記範囲情報が示す範囲内の個人情報の送信を許容する旨の指定を入力する手段、ならびに前記指定が入力されたことに応じて、前記個人情報記憶手段に記憶された個人情報群のうちで前記範囲情報が示す範囲内の個人情報を前記端末識別情報および前記提供用サーバ識別情報とともに情報配信用サーバ装置へ送付する個人情報送付手段を具備した携帯通信装置と、前記携帯通信装置から送付された前記提供用サーバ識別情報に基づいて前記提供用サーバ装置を識別し、この提供用サーバ装置に前記携帯通信装置から送付された前記個人情報および前記端末識別情報を転送する転送手段を備えた前記情報配信用サーバ装置とともに個人情報入力システムを構成し、前記端末装置に対してサービスを提供する提供用サーバ装置としてコンピュータを動作させるためのプログラムは、前記コンピュータを、前記端末装置を識別可能な端末識別情報および前記提供用サーバ装置を識別可能な提供用サーバ識別情報および前記サービスの提供に当たり必要な個人情報の範囲を表す範囲情報を前記端末装置から前記携帯通信装置に読み取り可能とする読取用情報を前記端末装置に送付する読取用情報送付手段として機能させるものとした。
【００１３】
端末装置を識別可能な端末識別情報および提供用サーバ装置を識別可能な提供用サーバ識別情報およびサービスの提供に当たり必要な個人情報の範囲を表す範囲情報を前記端末装置から前記携帯通信装置に読み取り可能とする読取用情報を前記端末装置に送付する読取用情報送付手段を備えた前記提供用サーバ装置と、前記携帯通信装置から送付された前記提供用サーバ識別情報に基づいて前記提供用サーバ装置を識別し、この提供用サーバ装置に前記携帯通信装置から送付された前記個人情報および前記端末識別情報を転送する転送手段を備えた情報配信用サーバ装置とともに個人情報入力システムを構成する前記携帯通信装置の動作を制御するコンピュータのためのプログラムを、前記コンピュータを、前記利用者に関する複数の個人情報を含んだ個人情報群を記憶する個人情報記憶手段と、前記端末装置に送付された前記読取用情報から前記端末識別情報、前記提供用サーバ識別情報および前記範囲情報を読み取る読取手段と、読み取られた前記範囲情報が示す範囲内の個人情報の送信を許容する旨の指定を入力する手段と、前記指定が入力されたことに応じて、前記個人情報記憶手段に記憶された個人情報群のうちで前記範囲情報が示す範囲内の個人情報を前記端末識別情報とともに前記情報配信用サーバ装置へ送付する個人情報送付手段として機能させるものとした。
【００１４】
端末装置を識別可能な端末識別情報および提供用サーバ装置を識別可能な提供用サーバ識別情報およびサービスの提供に当たり必要な個人情報の範囲を表す範囲情報を前記端末装置から携帯通信装置に読み取り可能とする読取用情報を前記端末装置に送付する読取用情報送付手段を備えた前記提供用サーバ装置と、前記利用者に関する複数の個人情報を含んだ個人情報群を記憶する個人情報記憶手段、前記端末装置に送付された前記読取用情報から前記端末識別情報、前記提供用サーバ識別情報および前記範囲情報を読み取る読取手段、読み取られた前記範囲情報が示す範囲内の個人情報の送信を許容する旨の指定を入力する手段、ならびに前記指定が入力されたことに応じて、前記個人情報記憶手段に記憶された個人情報群のうちで前記範囲情報が示す範囲内の個人情報を前記端末識別情報および前記提供用サーバ識別情報とともに情報配信用サーバ装置へ送付する個人情報送付手段とを具備した前記携帯通信装置とともに個人情報入力システムを構成する前記情報配信用サーバ装置としてコンピュータを動作させるプログラムは、前記コンピュータを、前記携帯通信装置から送付された前記提供用サーバ識別情報に基づいて前記提供用サーバ装置を識別し、この提供用サーバ装置に前記携帯通信装置から送付された前記個人情報および前記端末識別情報を転送する転送手段として機能させるものとした。
【００１５】
また前記の目的を達成するために本発明は、端末装置に対してサービスを提供する提供用サーバ装置と、前記端末装置の利用者により所持される携帯通信装置と、前記提供用サーバ装置および前記携帯通信装置と通信可能な情報配信用サーバ装置とからなる個人情報入力システムにおける各装置をそれぞれ次のような構成とした。
【００１６】
前記提供用サーバ装置には、前記端末装置を識別可能な端末識別情報、前記提供用サーバ装置を識別可能な提供用サーバ識別情報および前記サービスの提供に当たり必要な個人情報の範囲を表す範囲情報を前記端末装置から前記携帯通信装置に読み取り可能とする読取用情報を前記端末装置に送付する読取用情報送付手段を備えた。
【００１７】
前記携帯通信装置には、前記端末装置に送付された前記読取用情報から前記端末識別情報、前記提供用サーバ識別情報および前記範囲情報を読み取る読取手段と、読み取られた前記範囲情報が示す範囲内の個人情報の送信を許容する旨の指定を入力する手段と、前記指定が入力されたことに応じて、前記端末識別情報、前記提供用サーバ識別情報および前記範囲情報を含んだ要求情報を前記情報配信用サーバ装置へ送付する手段とを備えた。
【００１８】
前記情報配信用サーバ装置には、前記利用者に関する複数の個人情報を含んだ個人情報群を前記携帯通信装置に対応付けて記憶する個人情報記憶手段と、前記要求情報を送付した前記携帯通信装置に対応付けられた個人情報群のうちで前記要求情報に含まれる前記範囲情報が示す範囲内の個人情報を前記個人情報記憶手段から読み出す読出手段と、前記要求情報に含まれた前記提供用サーバ識別情報に基づいて前記提供用サーバ装置を識別し、この提供用サーバ装置に、前記読出手段により読み出された前記個人情報を前記要求情報に含まれる前記端末識別情報とともに前記情報提供用サーバ装置へ送付する個人情報送付手段とを備えた。
【００１９】
また前記の目的を達成するために本発明は、端末装置に対してサービスを提供する提供用サーバ装置と、前記端末装置の利用者により所持される携帯通信装置と、前記提供用サーバ装置および前記携帯通信装置と通信可能な情報配信用サーバ装置とからなる個人情報入力システムにおける各装置用のプログラムをそれぞれ次のような構成とした。
【００２０】
端末装置に送付された読取用情報から端末識別情報、提供用サーバ識別情報および範囲情報を読み取る読取手段、読み取られた前記範囲情報が示す範囲内の個人情報の送信を許容する旨の指定を入力する手段、ならびに前記指定が入力されたことに応じて、前記端末識別情報、前記提供用サーバ識別情報および前記範囲情報を含んだ要求情報を情報配信用サーバ装置へ送付する手段を具備した携帯通信装置と、前記端末装置の利用者に関する複数の個人情報を含んだ個人情報群を前記携帯通信装置に対応付けて記憶する個人情報記憶手段、前記要求情報を送付した前記携帯通信装置に対応付けられた個人情報群のうちで前記要求情報に含まれる前記範囲情報が示す範囲内の個人情報を前記個人情報記憶手段から読み出す読出手段、ならびに前記要求情報に含まれた前記提供用サーバ識別情報に基づいて提供用サーバ装置を識別し、この提供用サーバ装置に、前記読出手段により読み出された前記個人情報を前記要求情報に含まれる前記端末識別情報とともに前記情報提供用サーバ装置へ送付する個人情報送付手段を具備した前記情報配信用サーバ装置とともに個人情報入力システムを構成し、端末装置に対してサービスを提供する提供用サーバ装置としてコンピュータを動作させるプログラムは、前記コンピュータを、前記端末装置を識別可能な前記端末識別情報、前記提供用サーバ装置を識別可能な前記提供用サーバ識別情報および前記サービスの提供に当たり必要な個人情報の範囲を表す前記範囲情報を前記端末装置から前記携帯通信装置に読み取り可能とする読取用情報を前記端末装置に送付する読取用情報送付手段として機能させるものとした。
【００２１】
端末装置を識別可能な端末識別情報、提供用サーバ装置を識別可能な提供用サーバ識別情報およびサービスの提供に当たり必要な個人情報の範囲を表す範囲情報を前記端末装置から携帯通信装置に読み取り可能とする読取用情報を前記端末装置に送付する読取用情報送付手段を備えた前記提供用サーバ装置と、前記端末装置の利用者に関する複数の個人情報を含んだ個人情報群を前記携帯通信装置に対応付けて記憶する個人情報記憶手段、要求情報を送付した携帯通信装置に対応付けられた個人情報群のうちで前記要求情報に含まれる前記範囲情報が示す範囲内の個人情報を前記個人情報記憶手段から読み出す読出手段、ならびに前記要求情報に含まれた前記提供用サーバ識別情報に基づいて前記提供用サーバ装置を識別し、この提供用サーバ装置に、前記読出手段により読み出された前記個人情報を前記要求情報に含まれる前記端末識別情報とともに前記情報提供用サーバ装置へ送付する個人情報送付手段とを具備した情報配信用サーバ装置とともに個人情報入力システムを構成し、前記利用者により所持される携帯通信装置の動作を制御するコンピュータのためのプログラムは、前記コンピュータを、前記端末装置に送付された前記読取用情報から前記端末識別情報、前記提供用サーバ識別情報および前記範囲情報を読み取る読取手段と、読み取られた前記範囲情報が示す範囲内の個人情報の送信を許容する旨の指定を入力する手段と、前記指定が入力されたことに応じて、前記端末識別情報、前記提供用サーバ識別情報および前記範囲情報を含んだ要求情報を前記情報配信用サーバ装置へ送付する手段として機能させるものとした。
【００２２】
端末装置を識別可能な端末識別情報、提供用サーバ装置を識別可能な提供用サーバ識別情報およびサービスの提供に当たり必要な個人情報の範囲を表す範囲情報を前記端末装置から携帯通信装置に読み取り可能とする読取用情報を前記端末装置に送付する読取用情報送付手段を備えた前記提供用サーバ装置と、前記端末装置に送付された前記読取用情報から前記端末識別情報、前記提供用サーバ識別情報および前記範囲情報を読み取る読取手段、読み取られた前記範囲情報が示す範囲内の個人情報の送信を許容する旨の指定を入力する手段、前記指定が入力されたことに応じて、前記端末識別情報、前記提供用サーバ識別情報および前記範囲情報を含んだ要求情報を情報配信用サーバ装置へ送付する手段とを具備した前記携帯通信装置とともに個人情報入力システムを構成する情報配信用サーバ装置としてコンピュータを動作させるプログラムは、前記コンピュータを、前記端末装置の利用者に関する複数の個人情報を含んだ個人情報群を前記携帯通信装置に対応付けて記憶する個人情報記憶手段と、前記要求情報を送付した前記携帯通信装置に対応付けられた個人情報群のうちで前記要求情報に含まれる前記範囲情報が示す範囲内の個人情報を前記個人情報記憶手段から読み出す読出手段と、前記要求情報に含まれた前記提供用サーバ識別情報に基づいて前記提供用サーバ装置を識別し、この提供用サーバ装置に、前記読出手段により読み出された前記個人情報を前記要求情報に含まれる前記端末識別情報とともに前記情報提供用サーバ装置へ送付する個人情報送付手段として機能させるものとした。
【発明の効果】
【００２３】
本発明によれば、個人情報の入力に掛かる利用者の手間を軽減することができる。
【発明を実施するための最良の形態】
【００２４】
以下、図面を参照しながら本発明の実施形態について説明する。
【００２５】
（第１の実施形態）
図１は第１の実施形態に係る個人情報入力システムが適用されたサービス提供システムの概略構成を示すブロック図である。
【００２６】
このサービス提供システムは、提供用サーバ装置１、端末装置２、携帯通信装置３および情報配信用サーバ装置４を含む。これら提供用サーバ装置１、端末装置２、携帯通信装置３および情報配信用サーバ装置４は、コンピュータネットワーク５および移動通信網６を介して適宜に通信できる。コンピュータネットワーク５は、コンピュータどうしの通信を可能とするネットワークであれば如何なるものでも良いが、代表的にはインターネットである。移動通信網６は、携帯通信装置３の通信を可能とする通信網であれば如何なるものでも良いが、代表的にはＰＤＣ（personal digital cellular）網やＣＤＭＡ（code-division multiple access）網である。なお、提供用サーバ装置１、端末装置２、携帯通信装置３および情報配信用サーバ装置４は、それぞれ複数が含まれ得る。
【００２７】
提供用サーバ装置１は、利用者に対して端末装置２を介したサービス提供を行う。提供用サーバ装置１は、例えば汎用のサーバ装置を基本ハードウェアとして利用することができ、ＣＰＵ１１、記憶部１２および通信処理部１３を含む。そしてＣＰＵ１１は、記憶部１２に記憶されたプログラムを実行することにより、周知のウェブサーバが備える各種の周知の機能などを実現するための制御を行う。またＣＰＵ１１は、個人情報入力用のプログラムを実行することにより、後述する個人情報の入力支援を行う。ここで個人情報入力支援用のプログラムは、記憶部１２に予めインストールされても良いし、磁気ディスク、光磁気ディスク、光ディスク、半導体メモリなどのようなリムーバブルな記録媒体に記録して、あるいはネットワークを介して配布されたものが記憶部１２に適宜にインストールされても良い。記憶部１２は、上記のプログラムの他に、各種の情報を記憶する。記憶部１２としては、上記の汎用のサーバ装置に内蔵されたメモリやハードディスク装置などの記憶デバイス、上記の汎用のサーバ装置に外付けされたメモリやハードディスク装置などの記憶デバイス、さらには磁気ディスク、光磁気ディスク、光ディスクなどのようなリムーバブルな記録媒体などを適宜利用することができる。通信処理部１３は、コンピュータネットワーク５を介したデータ通信のための処理を行う。
【００２８】
端末装置２は、ブラウザ２１および表示部２２を含む。ブラウザ２１は、コンピュータネットワーク５を介して提供される情報を閲覧するための処理を行う。表示部２２は、ブラウザ２１により作成された画面を表示する。この端末装置２は、典型的にはパーソナルコンピュータである。しかし、携帯通信装置やＰＤＡ（personal digital assistant）など、ブラウジング機能を備えた様々な装置が適用され得る。
【００２９】
携帯通信装置３は、ＣＰＵ３１、記憶部３２、カメラ部３３、通信処理部３４、表示部３５および操作部３６を含む。ＣＰＵ３１は、記憶部３２に記憶されたプログラムを実行することにより、周知の携帯通信装置が備える各種の周知の機能を実現するための制御を行う。またＣＰＵ３１は、記憶部３２に記憶された個人情報入力支援用のプログラムを実行することにより、後述する個人情報の入力支援を行う。個人情報入力支援用のプログラムは、予め記憶部３２にインストールされていても良いし、半導体メモリなどのようなリムーバブルな記録媒体に記録して、あるいはネットワークを介して配布されるものが記憶部１２に適宜にインストールされても良い。記憶部３２は、上記のプログラムの他に、各種の情報を記憶する。カメラ部３３は、被写体を撮影して画像データを出力する。通信処理部３４は、移動通信網６との無線通信や、移動通信網６を介したデータ通信のための処理を行う。表示部３５は、利用者に提示するべき各種の情報をＣＰＵ３１の制御の下に表示する。操作部３６は、利用者による各種の指示を入力する。この携帯通信装置３は、典型的にはインターネット通信機能を備えた携帯電話装置である。しかし、しかし、ＰＤＡ（personal digital assistant）など、インターネット通信機能を備えた様々な装置が適用され得る。
【００３０】
情報配信用サーバ装置４は、携帯通信装置３から送信される個人情報を提供用サーバ装置１へ転送する。情報配信用サーバ装置４は、例えば汎用のサーバ装置を基本ハードウェアとして利用することができ、ＣＰＵ４１、記憶部４２、時計部４３および通信処理部４４を含む。そしてＣＰＵ４１は、記憶部４２に記憶された個人情報入力支援用のプログラムを実行することにより、個人情報の入力支援のための後述する処理を行う。ここで個人情報入力支援用のプログラムは、記憶部４２に予めインストールされても良いし、磁気ディスク、光磁気ディスク、光ディスク、半導体メモリなどのようなリムーバブルな記録媒体に記録して、あるいはネットワークを介して配布されたものが記憶部４２に適宜にインストールされても良い。記憶部４２には、上記のプログラムの他に、各種の情報が記憶される。記憶部４２としては、上記の汎用のサーバ装置に内蔵されたメモリやハードディスク装置などの記憶デバイス、上記の汎用のサーバ装置に外付けされたメモリやハードディスク装置などの記憶デバイス、さらには磁気ディスク、光磁気ディスク、光ディスクなどのようなリムーバブルな記録媒体などを適宜利用することができる。時計部４３は、常時計時を行っており、現在日時を表す時刻情報を出力する。通信処理部４４は、コンピュータネットワーク５を介したデータ通信のための処理を行う。
【００３１】
図２は図１に示される各装置が第１の実施形態において個人情報の入力支援のために備える機能部と、それらの機能部の連携の様子を示したブロック図である。なお、図２において図１と同一部分には同一の符号を付し、その詳細な説明は省略する。
【００３２】
提供用サーバ装置１においてＣＰＵ１１は、図２に示す入力画面作成部１１１、入力画面出力部１１２、復号化部１１３およびサービス提供部１１４として動作する。また記憶部１２の記憶領域の一部は、秘密鍵記憶部１２１として使用される。
【００３３】
入力画面作成部１１１は、サービスを利用するためにアクセスしてきた端末装置２の利用者の個人情報を入力する必要が生じた際に、端末装置２で入力画面を表示させるための入力画面情報を作成する。入力画面出力部１１２は、入力画面情報を端末装置２へ出力する。復号化部１１３は、情報配信用サーバ装置４から送信される暗号化個人情報から個人情報を復号化する。サービス提供部１１４は、端末装置２に対してサービスを提供する。
【００３４】
携帯通信装置３においてＣＰＵ３１は、図２に示すバーコードデコード部３１１、個人情報管理部３１２、編集部３１３、暗号化部３１４、送付処理部３１５および履歴表示処理部３１６として動作する。また記憶部３２の記憶領域の一部は、図２に示す個人情報記憶部３２１および履歴情報記憶部３２２として使用される。
【００３５】
個人情報記憶部３２１は、端末装置２の利用者の個人情報群を記憶する。この個人情報群は、メイルアドレス、氏名、電話番号あるいは住所などといった種々の個人情報を含む。履歴情報記憶部３２２は、個人情報を送付した履歴を表す履歴情報を記憶する。
【００３６】
バーコードデコード部３１１は、バーコードを撮影するためにカメラ部３３を制御するとともに、カメラ部３３で得られた画像データからバーコードが表す情報をデコードする。個人情報管理部３１２は、バーコードデコード部３１１でデコードされた情報と、この情報に基づいて、個人情報記憶部３２１から個人情報を読み出す。暗号化部３１４は、個人情報管理部３１２によって読み出された個人情報を暗号化する。暗号化部３１４は、暗号化に用いる公開鍵を情報配信用サーバ装置４から取得する。編集部３１３は、操作部３６での操作に応じて、個人情報記憶部３２１に記憶されている個人情報を更新する。すなわち編集部３１３は、個人情報記憶部３２１に記憶されている個人情報を、携帯通信装置３の使用者によって任意に登録および編集することを可能とする。編集部３１３は、パーソナルコンピュータなどで入力したデータを、メモリカードなどの媒体やネットワークを介して取得して、これを個人情報記憶部３２１に登録しても良い。送付処理部３１５は、暗号化部３１４により得られた暗号化個人情報を接続情報とともに情報配信用サーバ装置４へ送付する。また送付処理部３１５は、暗号化個人情報を送付した場合に、それを反映するように履歴情報記憶部３２２に記憶された履歴情報を更新する。履歴表示処理部３１６は、履歴情報が表す履歴を携帯通信装置３の使用者に表示するための表示部３５の制御などの処理を行う。
【００３７】
情報配信用サーバ装置４においてＣＰＵ４１は、図２に示すバーコード作成部４１１、公開鍵配信処理部４１２および配信処理部４１３として動作する。また記憶部４２の記憶領域の一部は、図２に示すサーバ情報記憶部４２１として使用される。
【００３８】
サーバ情報記憶部４２１は、提供用サーバ装置１が提供するサービスのそれぞれに関わるサービス情報を記憶している。
【００３９】
バーコード作成部４１１は、入力画面作成部１１１からの要求に応じて、入力画面作成部１１１から送られる情報と、上記のサービス情報と、時計部４３が出力する時刻情報とを利用して後述する接続情報を生成し、この接続情報を表すバーコードを作成する。バーコード作成部４１１は、作成したバーコードを入力画面作成部１１１に送信する。公開鍵配信処理部４１２は、携帯通信装置３からの要求の応答として、サーバ情報記憶部４２１に記憶されている公開鍵を携帯通信装置３に送信する。配信処理部４１３は、携帯通信装置３から送付された接続情報および暗号化個人情報を提供用サーバ装置１へ転送する。
【００４０】
次に以上のように構成された第１の実施形態のサービス提供システムの動作について説明する。
【００４１】
利用者が提供用サーバ装置１が提供するサービスを端末装置２から利用しようとするとき、提供用サーバ装置１においてＣＰＵ１１は、図３に示す処理を開始する。なお、この図３におけるステップＳａ１乃至ステップＳａ５が入力画面作成部１１１としての動作を実現し、ステップＳａ６が入力画面出力部１１２としての動作を実現する。
【００４２】
ステップＳａ１においてＣＰＵ１１は、利用者が利用しようとしているサービスのサービス識別子を判定する。ステップＳａ２においてＣＰＵ１１は、端末装置２との接続を識別するためのセッションキーを発行する。以降の処理においては、このセッションキーが端末装置２を識別するための端末識別情報として使用される。ただし、端末識別情報は、端末装置２を識別できる情報であれば良く、直通専用線の回線番号等を使用しても良い。
【００４３】
ステップＳａ３においてＣＰＵ１１は、バーコード要求を情報配信用サーバ装置４に送信する。このバーコード要求には、サービス識別子、端末識別情報および要求レベル情報とが含められる。要求レベル情報は、サービス提供上必要とする個人情報の範囲を示す要求レベルを表す。要求レベルは例えば、次のように定められる。  
レベル１：メイルアドレスのみ。  
レベル２：メイルアドレスおよび氏名。  
レベル３：メイルアドレス、氏名および電話番号。  
レベル４：メイルアドレス、氏名、電話番号および住所。
【００４４】
要求レベル情報に代えて、例えば、「メイルアドレス＝要、氏名＝否、電話番号＝要」などのように各個人情報の要否を表した情報を使用しても良い。
【００４５】
情報配信用サーバ装置４では、バーコード要求が到来すると、ＣＰＵ４１が図４に示す処理を開始する。なお、この図４における処理が、バーコード作成部４１１としての動作を実現する。
【００４６】
ステップＳｂ１においてＣＰＵ４１は、到来したバーコード要求を受信する。ステップＳｂ２においてＣＰＵ４１は、バーコード要求に含まれたサービス識別子を含んだサービス情報をサーバ情報記憶部４２１から読み出す。なお、サーバ情報記憶部４２１には、複数のサービスのそれぞれに関して、図５に示すようなサービス情報が記憶されている。サービス情報は、サービス識別子、有効期間情報、サーバＵＲＬ、情報入力ＵＲＬおよびサービス公開鍵を含む。
【００４７】
ステップＳｂ３においてＣＰＵ４１は、時計部４３が出力する時刻情報を発行時刻情報として取得する。ステップＳｂ４においてＣＰＵ４１は、上記の端末識別情報、サービス情報および発行時刻情報を含んだ図６に示すような接続情報を生成し、この接続情報を表したバーコードを生成する。バーコードは、如何なる方式のものであっても良いが、典型的にはＱＲコード（登録商標）などの２次元バーコードである。バーコードが表す接続情報は、暗号化されてもよいし平文でもよい。図６に示すように、接続情報には端末識別情報およびサービス識別子を含み、これらにより端末装置２と提供用サーバ装置１とがそれぞれ識別可能となっている。
【００４８】
最後にステップＳｂ５においてＣＰＵ４１は、上記の作成したバーコードを提供用サーバ装置１に送信し、これをもって図４の処理を終了する。
【００４９】
このように情報配信用サーバ装置４から送信されたバーコードが提供用サーバ装置１に到来したならば、ステップＳａ４においてＣＰＵ１１は、このバーコードを受信する。続いてステップＳａ５においＣＰＵ１１は、上記のバーコードを含めた入力画面を表す入力画面情報を作成する。図７は入力画面の一例を示す図である。図７に示す入力画面では、その右下にバーコード７１が配置されている。
【００５０】
最後にステップＳａ６においてＣＰＵ１１は、上記の入力画面情報を端末装置２へ出力し、これをもって図３の処理を終了する。
【００５１】
端末装置２では、入力画面情報をブラウザ２１が処理することにより、入力画面が表示部２２に表示される。利用者は、端末装置２を操作して、入力画面中に個人情報を入力することができる。そして送信ボタン７２が押下されたならば、入力された個人情報が端末装置２から提供用サーバ装置１に送付される。しかしながら、簡易に個人情報を入力したい場合に利用者は、携帯通信装置３の個人情報入力支援用のプログラムに基づく動作を起動した上で、表示部２２に表示されている入力画面に含まれたバーコードをカメラ部３３の撮影範囲内に位置させた状態で、操作部３６に用意されたシャッターボタンを押下する。
【００５２】
さて、携帯通信装置３で個人情報入力支援用のプログラムに基づく動作を起動されると、ＣＰＵ３１は図８に示すような処理を開始する。なおこの図８におけるステップＳｃ１乃至Ｓｃ４がバーコードデコード部３１１としての動作を実現し、ステップＳｃ５乃至ステップＳｃ７が個人情報管理部３１２としての動作を実現し、ステップＳｃ８およびステップＳｃ９が暗号化部３１４としての動作を実現し、ステップＳｃ１０およびステップＳｃ１１が送付処理部３１５としての動作を実現する。
【００５３】
ステップＳｃ１においてＣＰＵ３１は、撮影指示がなされるのを待ち受ける。上記のシャッターボタンの押下などによって撮影指示がなされたならば、ＣＰＵ３１はステップＳｃ１からステップＳｃ２へ進む。ステップＳｃ２においてＣＰＵ３１は、カメラ部３３を駆動してバーコードを撮影する。ステップＳｃ３においてＣＰＵ３１は、カメラ部３３から出力される画像データからバーコードを抽出し、さらにこのバーコードをデコードして接続情報を得る。ステップＳｃ４においてＣＰＵ３１は、接続情報を取得できたか否かを確認する。もし、接続情報を取得できなかったならば、ＣＰＵ３１はステップＳｃ１から処理をやり直す。接続情報を取得できたならば、ＣＰＵ３１はステップＳｃ４からステップＳｃ５へ進む。
【００５４】
ステップＳｃ５においてＣＰＵ３１は、接続情報に含まれる要求レベル情報を反映した確認画面を表示部３５に表示させる。図９は確認画面の一例を示す図である。この図９に示す確認画面は、要求レベルが前述した例における「２」である場合を示している。要求レベルが「２」であるために、メイルアドレスおよび氏名の送信を指定するチェックボックス９１がオンとなっており、メイルアドレスおよび氏名に加えて電話番号の送信を指定するチェックボックス９２や、メイルアドレスおよび氏名に加えて電話番号および住所の送信を指定するチェックボックス９３はオフになっている。利用者は、チェックボックス９１〜９３のオン／オフを切り替えることにより、送信する個人情報の範囲を任意に定めることができる。そして利用者は、所望の範囲を選択した状態で、送信ボタン９４を押下する。
【００５５】
ステップＳｃ６においてＣＰＵ３１は、送信指示がなされるのを待ち受ける。そして送信ボタン９２のクリックなどにより送信指示がなされたならば、ＣＰＵ３１はステップＳｃ６からステップＳｃ７へ進む。ステップＳｃ７においてＣＰＵ３１は、選択されている範囲の個人情報を個人情報記憶部３２１から読み出す。ステップＳｃ８においてＣＰＵ３１は、接続情報に含まれるサービス識別情報に対応する公開鍵を公開鍵配信部４１２を介してサーバ情報記憶部４２１から取得する。なお、携帯通信装置３の記憶部３２に予め記憶しておいた公開鍵を読み出すようにしても良い。ステップＳｃ９においてＣＰＵ３１は、上記の読み出した個人情報を、上記の取得した公開鍵を使用して暗号化する。ステップＳｃ１０においてＣＰＵ３１は、上記の暗号化により得られた暗号化個人情報を、接続情報とともに情報配信用サーバ装置４へ送信する。
【００５６】
こののちにステップＳｃ１１においてＣＰＵ３１は、今回の個人情報送信に関する情報を含めるように履歴情報を更新し、これをもって図８の処理を終了する。図１０は履歴情報の一例を示す図である。
【００５７】
接続情報および暗号化個人情報が携帯通信装置３から送信されたことに応じて、情報配信用サーバ装置４ではＣＰＵ４１が図１１に示すような処理を開始する。なお、この図１１における処理が配信処理部４１３としての動作を実現する。
【００５８】
ステップＳｄ１においてＣＰＵ４１は、接続情報および暗号化個人情報を受信する。
【００５９】
ステップＳｄ２においてＣＰＵ４１は、接続情報の有効期限を判定する。具体的にはＣＰＵ４１は、接続情報に含まれるサービス識別子を含んだサービス情報をサーバ情報記憶部４２１から検索し、このサービス情報に含まれる有効期間情報を読み出す。そしてこの有効期間情報が表す有効期間と、接続情報中の発行時刻情報が表す発行時刻とに基づいて、当該接続情報の有効期限を判定する。
【００６０】
ステップＳｄ３においてＣＰＵ４１は、時計部４３が出力する時刻情報が表す現在時刻が、上記の有効期限内であるか否かを確認する。有効期限内であるならば、ＣＰＵ４１はステップＳｄ３からステップＳｄ４へ進む。ステップＳｄ４においてＣＰＵ４１は、接続情報および暗号化個人情報を、提供用サーバ装置１へ送信する。すなわち情報配信用サーバ装置４は、携帯通信装置３から送信された暗号化個人情報を提供用サーバ装置１へ転送し、これをもって図１１の処理を終了する。なおサービス情報中の情報入力ＵＲＬが、該当サービスを提供する提供用サーバ装置１のＵＲＬとなっているので、ＣＰＵ４１はこの情報入力ＵＲＬを用いて提供用サーバ装置１にアクセスする。
【００６１】
ところで、接続情報が有効期限外であった場合、ＣＰＵ４１はステップＳｄ３からステップＳｄ５へ進む。ステップＳｄ５においてＣＰＵ４１は、エラーメッセージを携帯通信装置３へ送信し、これをもって図１１の処理を終了する。
【００６２】
接続情報および暗号化個人情報が情報配信用サーバ装置４から送信されたことに応じて、提供用サーバ装置１ではＣＰＵ１１が図１２に示すような処理を開始する。なお、この図１２におけるステップＳｅ１およびステップＳｅ２が復号化部１１３としての動作を実現し、ステップＳｅ３が入力画面作成部１１１としての動作を実現し、ステップＳｅ４が入力画面出力部１１２としての動作を実現し、ステップＳｅ５乃至ステップＳｅ７がサービス提供部１１４としての動作を実現する。
【００６３】
ステップＳｅ１においてＣＰＵ１１は、接続情報および暗号化個人情報を受信する。ステップＳｅ２においてＣＰＵ１１は、上記の受信された暗号化個人情報から個人情報を復号化する。この復号化には、秘密鍵記憶部１２１に記憶された秘密鍵が使用される。
【００６４】
ステップＳｅ３においてＣＰＵ１１は、復号した個人情報を反映した確認画面を表す確認画面情報を作成する。図１３は確認画面の一例を示す図である。図１３に示す確認画面では、個人情報の再入力を可能とするために、バーコード７１を再配置している。また図１３に示す確認画面では、電話番号、郵便番号および住所は、伏せ字（図１３では「＊」）としている。ステップＳｅ４においてＣＰＵ１１は、上記の確認画面情報を端末装置２へ出力する。
【００６５】
端末装置２では、確認画面情報をブラウザ２１が処理することにより、確認画面が表示部２２に表示される。かくして利用者は、携帯通信装置３から送信された個人情報の内容を確認することができる。そして利用者は、必要に応じて確認画面に表示された個人情報を修正することができる。そして送信ボタン７２が押下されたならば、個人情報が端末装置２から提供用サーバ装置１に送信される。
【００６６】
そこでステップＳｅ５においてＣＰＵ１１は、個人情報が端末装置２から送信されるのを待ち受ける。そして上記のように個人情報が送信されたならば、ＣＰＵ１１はステップＳｅ５からステップＳｅ６へ進む。ステップＳｅ６においてＣＰＵ１１は、上記の個人情報を取得する。そしてステップＳｅ７においてＣＰＵ１１は、端末装置２に対してサービスコンテンツを提供するなどのサービス提供処理を行う。
【００６７】
以上のように第１の実施形態によれば、利用者は、端末装置２で表示されたバーコードを携帯通信装置３で撮影すれば、携帯通信装置３の個人情報記憶部３２１に記憶させてある個人情報を端末装置２に取り込んで、さらに提供用サーバ装置１に送信することができる。従って、利用者は、端末装置２の操作により個人情報を直接的に入力する必要がなく、個人情報の入力に掛かる利用者の手間が大幅に軽減される。
【００６８】
また第１の実施形態によれば、携帯通信装置３への接続情報の入力をバーコードによって行っているため、端末装置２はバーコードを表示できる表示部２２を持っていれば良く、汎用の端末装置２がそのまま利用できる。携帯通信装置３についても、カメラ機能を持った携帯電話装置などを利用することができる。このように、カードリーダや近接無線装置といった専用デバイスを必要とせず、簡易な構成によりシステムを実現することができる。
【００６９】
また第１の実施形態によれば、提供用サーバ装置１から指定される要求レベルに応じた範囲の個人情報のみを送信対象とすることにより、利用者の意図しない不必要な個人情報が安易に送信されてしまうことが防止される。さらに携帯通信装置３にて、送信する個人情報の範囲を利用者が再定義することを可能としているので、利用者の判断による情報提供も可能である。
【００７０】
また第１の実施形態によれば、携帯通信装置３から提供用サーバ装置１へは、個人情報を暗号化して伝送しているので、個人情報を中継する箇所における個人情報の漏洩を防止できる。この暗号化と、上述の範囲制限との２つにより、個人情報の局在化を実現し、情報漏洩の危険性を最小限とすることができる。
【００７１】
（第２の実施形態）
第２の実施形態に係る個人情報入力システムが適用されたサービス提供システムの概略構成は第１の実施形態と同様である。
【００７２】
図１４は図１に示される各装置が第２の実施形態において個人情報の入力支援のために備える機能部と、それらの機能部の連携の様子を示したブロック図である。なお、図１４において図１および図２と同一部分には同一の符号を付し、その詳細な説明は省略する。
【００７３】
提供用サーバ装置１および端末装置２が備える機能部は、第１の実施形態と第２の実施形態とで同様である。
【００７４】
携帯通信装置３においてＣＰＵ３１は、図１４に示すバーコードデコード部３１１、履歴表示処理部３１６、利用者許諾部３１７および送付処理部３１８として動作する。また記憶部３２の記憶領域の一部は、図１４に示す履歴情報記憶部３２２として使用される。
【００７５】
利用者許諾部３１７は、図９に示した確認画面を使用して、個人情報送信についての利用者の許諾を受ける。送付処理部３１８は、接続情報のみを個人情報の送信要求として情報配信用サーバ装置４へ送付する。
【００７６】
情報配信用サーバ装置４においてＣＰＵ４１は、図１４に示すバーコード作成部４１１、公開鍵配信処理部４１２および配信処理部４１３、個人情報管理部４１４、編集部４１５、暗号化部４１６として動作する。また記憶部４２の記憶領域の一部は、図１４に示すサーバ情報記憶部４２１および個人情報記憶部４２２として使用される。
【００７７】
個人情報記憶部４２２は、端末装置２の利用者の個人情報群を携帯通信装置３の識別情報に対応付けて記憶する。この個人情報群は、メイルアドレス、氏名、電話番号あるいは住所などといった種々の個人情報を含む。携帯通信装置３の識別情報としては、携帯通信装置３の固有識別情報、携帯通信装置３に割り当てられた電話番号、あるいは携帯通信装置３に装着されたＳＩＭ（subscriber identity module）カードに記憶されたＩＤ情報などである。個人情報管理部４１４は、携帯通信装置３との間の通信リンクの確立時などに通信網から通知される携帯通信装置３の識別情報と、携帯通信装置３から送信された接続情報とに基づいて、個人情報記憶部４２２から個人情報を読み出す。暗号化部４１６は、個人情報管理部４１４によって読み出された個人情報を暗号化する。暗号化部４１６は、暗号化に用いる公開鍵を公開鍵配信処理部４１２から取得する。編集部４１５は、携帯通信装置３の使用者からの申告に基づくオペレータ操作やネットワークを介した携帯通信装置３の使用者による操作に応じて、個人情報記憶部４２２に記憶されている個人情報を更新する。すなわち編集部４１５は、個人情報記憶部４２２に記憶されている個人情報を、携帯通信装置３の使用者が希望する情報とすることを可能とする。
【００７８】
次に以上のように構成された第２の実施形態のサービス提供システムの動作について説明する。なお、第２の実施形態における提供用サーバ装置１および端末装置２の動作は前記第１の実施形態と同様であるので、その説明は省略する。
【００７９】
情報配信用サーバ装置４では、提供用サーバ装置１からのバーコード要求に対しては、第１の実施形態と同様に動作する。
【００８０】
さて、携帯通信装置３で個人情報入力支援用のプログラムに基づく動作を起動されると、ＣＰＵ３１は図１５に示すような処理を開始する。なお、図１５において図８と同一の処理については同一の符号を付し、その詳細な説明は省略する。
【００８１】
この図８におけるステップＳｃ５およびステップＳｃ６が利用者許諾部３１７としての動作を実現し、ステップＳｆ１が送付処理部３１８としての動作を実現する。
【００８２】
ステップＳｃ１乃至ステップＳｃ６は、第１の実施形態と同様に実行される。なお、送信ボタン９２のクリックなどにより送信指示がなされたならば、ＣＰＵ３１は、個人情報の送信を使用者が承諾したと判断する。そこでＣＰＵ３１はステップＳｃ６からステップＳｆ１へ進む。ステップＳｆ１においてＣＰＵ３１は、通信網を介して情報配信用サーバ装置４にアクセスし、接続情報と選択されている範囲（送信が許容される個人情報の範囲）を表す範囲情報を送信する。なお、携帯通信装置３が情報配信用サーバ装置４にアクセスするとき、周知の仕組みによって通信網から情報配信用サーバ装置４に対して、携帯通信装置３の識別情報が通知される。ただし、携帯通信装置３が接続情報とともに識別情報を送信しても良い。
【００８３】
こののちにステップＳｃ１１においてＣＰＵ３１は、今回の個人情報送信に関する情報を含めるように履歴情報を更新し、これをもって図１５の処理を終了する。
【００８４】
接続情報が携帯通信装置３から送信されたことに応じて、情報配信用サーバ装置４ではＣＰＵ４１が図１６に示すような処理を開始する。なお、図１６において図１１と同一の処理については同一の符号を付し、その詳細な説明は省略する。
【００８５】
この図１１におけるステップＳｇ１およびステップＳｇ２が個人情報管理部４１４としての動作を実現し、ステップＳｇ３およびステップＳｇ４が暗号化部４１６としての動作を実現し、ステップＳｄ２乃至ステップＳｄ４が処理が配信処理部４１３としての動作を実現する。
【００８６】
ステップＳｇ１においてＣＰＵ４１は、上述のように携帯通信装置３から送信された接続情報および範囲情報を受信する。ステップＳｇ２においてＣＰＵ４１は、携帯通信装置３の識別情報に対応付けられるとともに、範囲情報が示す範囲の個人情報を個人情報記憶部４２２から読み出す。ステップＳｇ３においてＣＰＵ４１は、接続情報に含まれるサービス識別情報に対応する公開鍵をサーバ情報記憶部４２１から読み出す。ステップＳｇ４においてＣＰＵ４１は、上記の読み出した個人情報を、上記の取得した公開鍵を使用して暗号化する。
【００８７】
こののちにＣＰＵ４１は、ステップＳｄ２およびステップＳｄ３と、ステップＳｄ４またはステップＳｄ５を第１の実施形態と同様に行う。
【００８８】
以上のように第２の実施形態によれば、利用者は、端末装置２で表示されたバーコードを携帯通信装置３で撮影すれば、情報配信用サーバ装置４の個人情報記憶部４２２に記憶させてある個人情報を、情報配信用サーバ装置４から提供用サーバ装置１に送信させることができる。従って、利用者は、端末装置２の操作により個人情報を直接的に入力する必要がなく、個人情報の入力に掛かる利用者の手間が大幅に軽減される。
【００８９】
そして第２の実施形態によれば、個人情報を携帯通信装置３に記憶しておかなくて良いから、携帯通信装置３の紛失や盗難が起きても、携帯通信装置３からの情報漏洩が生じることが無い。
【００９０】
また第２の実施形態によれば、携帯通信装置３への接続情報の入力をバーコードによって行っているため、端末装置２はバーコードを表示できる表示部２２を持っていれば良く、汎用の端末装置２がそのまま利用できる。携帯通信装置３についても、カメラ機能を持った携帯電話装置などを利用することができる。このように、カードリーダや近接無線装置といった専用デバイスを必要とせず、簡易な構成によりシステムを実現することができる。
【００９１】
また第２の実施形態によれば、提供用サーバ装置１から指定される要求レベルに応じた範囲の個人情報のみを送信対象とすることにより、利用者の意図しない不必要な個人情報が安易に送信されてしまうことが防止される。さらに携帯通信装置３にて、送信する個人情報の範囲を利用者が再定義することを可能としているので、利用者の判断による情報提供も可能である。
【００９２】
また第２の実施形態によれば、情報配信用サーバ装置４から提供用サーバ装置１へは、個人情報を暗号化して伝送しているので、個人情報を中継する箇所における個人情報の漏洩を防止できる。この暗号化と、上述の範囲制限との２つにより、個人情報の局在化を実現し、情報漏洩の危険性を最小限とすることができる。
【００９３】
この実施形態は、次のような種々の変形実施が可能である。
【００９４】
サーバ情報記憶部４２１にサービス毎に必要な情報項目リストを含め、その項目リストを携帯通信装置３の個人情報管理部３１２へ入力することで、利用者が図９に示す確認画面で全ての送信を選んだ場合でも、携帯通信装置３から送信する個人情報を必要項目のみに限定しても良い。
【００９５】
接続情報は、赤外線通信やBluetooth（登録商標）などのような汎用のワイヤレス通信インタフェースを介して端末装置２から携帯通信装置３が読み取るようにしても良い。
【００９６】
バーコードは、提供用サーバ装置１が作成しても良い。
【００９７】
接続情報には、発行時刻情報に代えて有効期限情報を含めるようにし、情報配信用サーバ装置４では、この有効期限情報が表す有効期限内であるか否かを確認することとしても良い。
【００９８】
上記のように端末識別情報としてセッション識別情報を使用するならば、このセッション識別情報から提供用サーバ装置１を特定することもできる。あるいは、提供用サーバ装置１を特定するために、複数の提供用サーバ装置１にユニークに割り当てられた識別情報を接続情報に含めるようにしても良い。
【００９９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【０１００】
【図１】本発明の実施形態に係る個人情報入力システムが適用されたサービス提供システムの概略構成を示すブロック図。
【図２】図１に示される各装置が第１の実施形態において個人情報の入力支援のために備える機能部と、それらの機能部の連携の様子を示したブロック図。
【図３】図１中のＣＰＵ１１による第１の実施形態における処理手順を示すフローチャート。
【図４】図１中のＣＰＵ４１による第１の実施形態における処理手順を示すフローチャート。
【図５】図２中のサーバ情報記憶部４２１に記憶されるサービス情報の構成を示す図。
【図６】接続情報の構成を示す図。
【図７】図１中および図２中の表示部２２で表示される入力画面の一例を示す図。
【図８】図１中のＣＰＵ３１による第１の実施形態における処理手順を示すフローチャート。
【図９】図１中の表示部３５に表示される確認画面の一例を示す図
【図１０】履歴情報の構成を示す図。
【図１１】図１中のＣＰＵ４１による第１の実施形態における処理手順を示すフローチャート。
【図１２】図１中のＣＰＵ１１による第１の実施形態における処理手順を示すフローチャート。
【図１３】確認画面の一例を示す図。
【図１４】図１に示される各装置が第２の実施形態において個人情報の入力支援のために備える機能部と、それらの機能部の連携の様子を示したブロック図。
【図１５】図１中のＣＰＵ３１による第２の実施形態における処理手順を示すフローチャート。
【図１６】図１中のＣＰＵ４１による第２の実施形態における処理手順を示すフローチャート。
【符号の説明】
【０１０１】
１…提供用サーバ装置、２…端末装置、３…携帯通信装置、４…情報配信用サーバ装置、５…コンピュータネットワーク、６…移動通信網、１１，３１，４１…ＣＰＵ、１２，３２，４２…記憶部、１３，３４，４４…通信処理部、２１…ブラウザ、２２，３５…表示部、３３…カメラ部、３６…操作部、４３…時計部、、１１１…入力画面作成部、１１２…入力画面出力部、１１３…復号化部、１１４…サービス提供部、１２１…秘密鍵記憶部、３１１…バーコードデコード部、３１２，４１４…個人情報管理部、３１３，４１５…編集部、３１４，４１６…暗号化部、３１５…送付処理部、３１６…履歴表示処理部、３１７…利用者許諾部、３１８…送付処理部、３２１，４２２…個人情報記憶部、３２２…履歴情報記憶部、４１１…バーコード作成部、４１２…公開鍵配信処理部、４１２…公開鍵配信部、４１３…認証結果管理部、４１３…配信処理部、４２１…サーバ情報記憶部。
【図１】
0004769093.tif 000002
【図２】
0004769093.tif 000003
【図３】
0004769093.tif 000004
【図４】
0004769093.tif 000005
【図５】
0004769093.tif 000006
【図６】
0004769093.tif 000007
【図７】
0004769093.tif 000008
【図８】
0004769093.tif 000009
【図９】
0004769093.tif 000010
【図１０】
0004769093.tif 000011
【図１１】
0004769093.tif 000012
【図１２】
0004769093.tif 000013
【図１３】
0004769093.tif 000014
【図１４】
0004769093.tif 000015
【図１５】
0004769093.tif 000016
【図１６】
0004769093.tif 000017